(57)【要約】【課題】調光装置を軽量に構成する。【解決手段】調光装置１は、互いに積み重ねられた２つの板状部材２、３を備え、２つの板状部材２、３は、積み重ねられた状態で相対移動可能になっている。第１板状部材３は、第１光制御主板２０を有する。第２板状部材３は、第１光制御主板２０と少なくとも部分的に対面する第２光制御板３０と、第２光制御板３０から延び出し、第１光制御主板２０の相対移動を側方から案内するガイド壁３８と、を有する。第１光制御主板２０及び第２光制御主板３０の両方を透過する光の透過率は、第１光制御主板２０及び第２光制御主板３０の相対位置に応じて変化する。【選択図】図１０
2016051120.tif 000002
【特許請求の範囲】
【請求項１】
互いに相対移動可能となるように積み重ねられた第１板状部材及び第２板状部材を備え、
前記第１板状部材は、平板状の第１光制御主板を有し、
前記第２板状部材は、前記第１光制御主板と少なくとも部分的に対面する平板状の第２光制御主板と、前記第２光制御主板から延び出し、前記第１光制御主板の板面に平行な方向から前記第１板状部材に対面するガイド壁と、を有し、
前記第１光制御主板及び前記第２光制御主板の両方を透過する光の透過率は、前記第１光制御主板及び前記第２光制御主板の相対位置に応じて変化し、
前記第１板状部材と前記第２板状部材とを互いに対して相対移動させたときに、前記ガイド壁が、前記第１板状部材の移動範囲を規制して、前記第１板状部材と前記第２板状部材との相対移動を案内する、調光装置。
【請求項２】
前記第１板状部材は、前記第１光制御主板から延び出し、前記第２板状部材の前記ガイド壁と対面する対向壁を有する、請求項１に記載の調光装置。
【請求項３】
前記第１板状部材及び前記第２板状部材の一方に、前記第１板状部材と前記第２板状部材との相対移動方向に沿って延びる規制溝が設けられており、
前記第１板状部材及び前記第２板状部材の他方に、前記規制溝に収容される規制突起が設けられている、請求項２に記載の調光装置。
【請求項４】
前記第１板状部材と前記第２板状部材とは、低摩擦材を介して相対移動可能になっている、請求項１乃至３のいずれか一項に記載の調光装置。
【請求項５】
前記第１光制御主板は、互いに異なる光学特性を有した二種類の領域を含む第１光制御シートを有し、前記二種類の領域は、一軸方向に一定のピッチで繰り返し配置され、
前記第２光制御主板は、互いに異なる光学特性を有した二種類の領域を含む第２光制御シートを有し、前記二種類の領域は、一軸方向に前記一定ピッチで繰り返し配置されている、請求項１乃至４のいずれか一項に記載の調光装置。
【請求項６】
前記第１板状部材と前記第２板状部材とは、積み重ねられた状態で一軸方向に相対移動可能になっている、請求項５に記載の調光装置。
【発明の詳細な説明】
【技術分野】
【０００１】
本発明は、二つの光制御板を相対移動させることによって調光を行う調光装置に関する。
【背景技術】
【０００２】
例えば、特許文献１に示すように、２つの光制御板とを相対移動させることにより調光を行う調光装置が知られている。調光装置は、例えば、窓やパーテーションに適用される。典型的には、一方の光制御板に固定されたつまみを握って、２つの光制御板を一軸方向に相対移動させることにより、光透過率の調節を可能にし、遮光と透過の切り換えを実現する。
【先行技術文献】
【特許文献】
【０００３】
【特許文献１】国際公開第２０１３−１１２４２６号パンフレット
【発明の概要】
【発明が解決しようとする課題】
【０００４】
昨今では、調光装置を構成する構成要素の簡略化や部品点数の削減によって、調光装置を軽量に構成することが求められている。しかしながら、特許文献１に記載の調光装置では、部品点数が多く調光装置を軽量に構成することができない。
【０００５】
本発明は、以上の点を考慮してなされたものであり、軽量化された調光装置を実用に耐えうる態様で提供することを目的とする。
【課題を解決するための手段】
【０００６】
本発明による調光装置は、互いに積み重ねられた第１板状部材及び第２板状部材を備え、
前記第１板状部材と前記第２板状部材とは、積み重ねられた状態で相対移動可能になっており、
前記第１板状部材は、平板状の第１光制御主板を有し、
前記第２板状部材は、前記第１光制御主板と少なくとも部分的に対面する平板状の第２光制御主板と、前記第２光制御主板から延び出し、前記第１光制御主板の板面に平行な方向から前記第１板状部材に対面するガイド壁と、を有し、
前記第１光制御主板及び前記第２光制御主板の両方を透過する光の透過率は、前記第１光制御主板及び前記第２光制御主板の相対位置に応じて変化し、
前記第１板状部材と前記第２板状部材とを互いに対して相対移動させたときに、前記ガイド壁が、前記第１板状部材の移動範囲を規制して、前記第１板状部材と前記第２板状部材との相対移動を案内する。
【０００７】
本発明による調光装置において、前記第１板状部材と前記第２板状部材とは、積み重ねられた状態で一軸方向に相対移動可能になっていてもよい。
【０００８】
本発明による調光装置において、前記第１板状部材は、前記第１光制御主板から延び出し、前記第２板状部材の前記ガイド壁と対面する対向壁を有してもよい。
【０００９】
本発明による調光装置において、前記対向壁及び前記ガイド壁の一方に、前記第１板状部材と前記第２板状部材との相対移動方向に沿って延びる規制溝が設けられており、
前記対向壁及び前記ガイド壁の他方に、前記規制溝に収容される規制突起が設けられていてもよい。
【００１０】
本発明による調光装置において、前記第１板状部材と前記第２板状部材との間に、前記第１板状部材及び前記第２板状部材よりも動摩擦係数の低い材料からなる低摩擦材が配置されていてもよい。
【００１１】
本発明による調光装置において、前記第１光制御主板は、互いに異なる光学特性を有した二種類の領域を含む第１光制御シートを有し、前記二種類の領域は、前記一軸方向に一定のピッチで繰り返し配置され、前記第２光制御主板は、互いに異なる光学特性を有した二種類の領域を含む第２光制御シートを有し、前記二種類の領域は、前記一軸方向に前記一定ピッチで繰り返し配置されていてもよい。
【発明の効果】
【００１２】
本発明によれば、軽量化された調光装置を実用に耐えうる態様で提供することが可能になる。
【図面の簡単な説明】
【００１３】
【図１】本発明の一実施の形態による調光装置を示す斜視図。
【図２】図１に示す調光装置の正面図。
【図３】図２に示す線III−IIIに沿った第１光制御主板の断面図。
【図４】図２に示す線IV−IVに沿った第２光制御主板の断面図。
【図５】図１に示す調光装置の光制御シートの構成を説明するための平面図。
【図６】第１光制御主板と第２光制御主板との相対位置に応じて透過する光の光量が変化する機能を説明するための断面図。
【図７】図６に示す状態から第１光制御主板と第２光制御主板との相対位置を変化させた状態を示す断面図。
【図８】第１、第２光制御シートをなす位相差フィルムの層構成を説明するための断面図。
【図９】図１に示す線IX−IXに沿った調光装置の断面図。
【図１０】調光装置の作用を説明するための平面図。
【図１１】図１に示す調光装置の一変形例を示す斜視図。
【図１２】図１１に示す線XII−XIIに沿った調光装置の断面図。
【図１３】図１に示す調光装置の他の変形例を示す斜視図。
【図１４】図１３に示す線XIV−XIVに沿った調光装置の断面図。
【発明を実施するための形態】
【００１４】
以下、図面を参照して本発明の一実施の形態について説明する。図１〜図１５は本発明による一実施の形態を説明するための図である。なお、本件明細書に添付する図面においては、図示と理解のしやすさの便宜上、適宜縮尺および縦横の寸法比等を、実物のそれらから変更し誇張してある。図１及び図２は、それぞれ、本発明の一実施の形態による調光装置１を示す斜視図及び正面図である。
【００１５】
なお、本明細書において、「板」、「シート」、「フィルム」の用語は、呼称の違いのみに基づいて、互いから区別されるものではない。例えば、「板」は、シートやフィルムと呼ばれ得るような部材も含む概念であり、したがって、一例として、「光制御シート」は、「光制御板」や「光制御フィルム」と呼ばれる部材と呼称の違いのみにおいて区別され得ない。
【００１６】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
図１及び図２に示すように、調光装置１は、一軸方向Ｄ１に相対移動可能な第１板状部材２及び第２板状部材３を有し、これらは積み重ねられている。第１板状部材２は、平板状の第１光制御主板２０と、第１光制御主板２０から延び出した対向壁２８と、を有している。一方、第２板状部材３は、第１光制御主板２０と少なくとも部分的に対面する平板状の第２光制御主板３０と、第２光制御主板３０から延び出して対向壁２８と対面するガイド壁３８と、を有している。第１板状部材２と第２板状部材３とを一軸方向Ｄ１に相対移動させたときに、ガイド壁３８が対向壁２８の移動範囲を規制して、第１板状部材２と第２板状部材３との相対移動を案内する。
【００１８】
図１及び図２に示す調光装置１は、第１光制御主板２０及び第２光制御主板３０の相対位置に依存して、第１光制御主板２０及び第２光制御主板３０の両方を透過する光の透過率を調整し得るようになっている（図１０参照）。これにより、調光装置１は、透過光の光量を調整し、遮光と透過の切り換えを実現する。調光装置１によれば、相対移動可能な２つの板状部材２、３にて実現されることにより、構成要素の簡略化及び部品点数の削減を達成して調光装置１の軽量化がもたらされる。
【００１９】
本実施の形態では、第１光制御主板２０及び第２光制御主板３０は、互いに平行に配置されている。第１光制御主板２０及び第２光制御主板３０は、その法線方向からみて矩形の形状を有しており、互いに同じ大きさに形成されている。図３及び図４に、第１光制御主板２０及び第２光制御主板３０の層構成の一例をそれぞれ示す。図３に示された例において、第１光制御主板２０は、第１オーバーコート層２６、第１光制御シート２５、接合層２４、第１偏光板２３、接合層２２、第１透明支持板２１を、第２光制御主板３０に近接する側からこの順番にて、含んでいる。一方、図４に示された例において、第２光制御主板３０は、第２オーバーコート層３６、第２光制御シート３５、接合層３４、第２偏光板３３、接合層３２お及び第２透明支持板３１を、第１光制御主板２０に近接する側からこの順番にて、含んでいる。第１光制御主板２０と第２光制御主板３０とは同一の構成を採用することが可能になっている。以下、各層について説明していく。
【００２０】
第１透明支持板２１および第２透明支持板３１は、光制御シート２５，３５及び偏光板２３，３３を支持するための支持体である。第１透明支持板２１および第２透明支持板３１として、例えば可視光に対して優れた透過性を有したガラス、ポリカーボネートやアクリル等の透明な樹脂等を用いることができる。一例として、第１透明支持板２１および第２透明支持板３１の厚みは、２〜４ｍｍ程度に設定される。
【００２１】
第１偏光板２３及び第２偏光板３３は、一方の直線偏光成分の光を高い透過率で透過させるとともに、一方の直線偏光成分と直交する方向に振動する他方の直線偏光成分の光を吸収する機能を有している。本実施の形態において、第１偏光板２３と第２偏光板３３とは、その吸収軸の向きが互いに非平行となっている。とりわけ図示する例では、第１偏光板２３及び第２偏光板３３は、それぞれの吸収軸が互いに直交するようにして、すなわちクロスニコル状態で配置されている。第１偏光板２３及び第２偏光板３３として、ポリビニルアルコールにヨウ素や二色性色素を吸着させてなる広く普及した偏光板を用いることができる。
【００２２】
第１光制御シート２５及び第２光制御シート３５は、透過光の偏光状態を制御可能となっている。図３に示すように、第１光制御シート２５は、透過光の偏光状態に互いに異なる作用を及ぼす第１領域Ｚ１及び第２領域Ｚ２を含んでいる。とりわけ、本実施の形態の第１光制御シート２５は、位相差フィルムとして形成され、第１領域Ｚ１と第２領域Ｚ２との間で、異なる位相変調を透過光に生じさせる。具体的には、第１領域Ｚ１及び第２領域Ｚ２は、共に、リタデーションがλ／４の位相差フィルムからなる。ただし、当該位相差フィルムは、遅相軸が互いに直交するようにして配置されている。したがって、第１光制御シート２５は、第１領域Ｚ１を透過する光に対して「λ／４」の位相変調を引き起こし、第２領域Ｚ２を透過する光に対して「−λ／４」の位相変調を引き起こす。
【００２３】
図５に、第１光制御シート２５の配列を平面図として示す。図５に示すように、第１光制御シート２５の第１領域Ｚ１及び第２領域Ｚ２は、ストライプ状に配列されている。本実施の形態では、第１光制御シート２５の第１領域Ｚ１及び第２領域Ｚ２は、一軸方向Ｄ１に交互に隙間なく配置され、一軸方向Ｄ１に沿って同一な幅Ｗを有している。したがって、第１領域Ｚ１及び第２領域Ｚ２は、各領域の幅の二倍「Ｗ×２」となる一定ピッチでそれぞれ一軸方向Ｄ１に配列されている。また、各第１領域Ｚ１及び各第２領域Ｚ２は、一軸方向Ｄ１に直交する他軸方向Ｄ２に直線状に延びている。なお、図５から理解されるように、一軸方向Ｄ１及び他軸方向Ｄ２は、第１光制御主板２０の板面に平行な面内において、互いに直交する二方向を規定する。
【００２４】
第２光制御シート３５は、第１光制御シート２５と同様に構成され得る。すなわち、第２光制御シート３５は、透過光の偏光状態に互いに異なる作用を及ぼす第３領域Ｚ３及び第４領域Ｚ４を含んでいる。第２光制御シート３５は、位相差フィルムとして形成され、第３領域Ｚ３と第４領域Ｚ４との間で、異なる位相変調を透過光に生じさせる。具体的には、第３領域Ｚ３及び第４領域Ｚ４は、共に、リタデーションがλ／４の位相差フィルムからなり、ただし、当該位相差フィルムは、遅相軸が互いに直交するようにして配置されている。そして、第２光制御シート３５は、第３領域Ｚ３を透過する光に対して「λ／４」の位相変調を引き起こし、第４領域Ｚ４を透過する光に対して「−λ／４」の位相変調を引き起こす。
【００２５】
また、第２光制御シート３５の第３領域Ｚ３及び第４領域Ｚ４は、ストライプ状に配列されている。本実施の形態では、第２光制御シート３５の第３領域Ｚ３及び第４領域Ｚ４は、第１方向Ｄ１に交互に隙間なく配置され、第１方向Ｄ１に沿って同一な幅Ｗを有している。第３領域Ｚ３及び第４領域Ｚ４は、各領域の幅の二倍「Ｗ×２」となる一定ピッチでそれぞれ第１方向Ｄ１に配列されている。また、各第３領域Ｚ３及び各第４領域Ｚ４は、一軸方向Ｄ１に直交する他軸方向Ｄ２（図５参照）に直線状に延びている。
【００２６】
本実施の形態では、第１偏光板２３の吸収軸に対して、第１光制御シート２５の第１領域Ｚ１の遅相軸は４５°をなし、第１光制御シート２５の第２領域Ｚ２の遅相軸は−４５°をなしている。第１光制御シート２５の第１領域Ｚ１の遅相軸と、第２光制御シート３５の第３領域Ｚ３の遅相軸とは平行となっている。また、第１光制御シート２５の第２領域Ｚ２の遅相軸と、第２光制御シート３５の第４領域Ｚ４の遅相軸とは平行となっている。この場合、図６及び図７を参照して以下に説明するように、遮光と透過との切り換えを効果的に行うことができる。
【００２７】
図６に、第１光制御シート２５の第１領域Ｚ１と第２光制御シート３５の第３領域Ｚ３とが重なり、第１光制御シート２５の第２領域Ｚ２と第２光制御シート３５の第４領域Ｚ４とが重なった状態を示す。図６に示す場合、第１偏光板２３を透過した一方の偏光成分の光は、第１光制御シート２５及び第２光制御シート３５の両方を透過した後に、振動方向を９０°回転させる。したがって、図６に示すように、第１光制御シート２５及び第２光制御シート３５の両方を透過した光は、一方の偏光成分とは振動方向が直交する他方の偏光成分の光となっており、第２偏光板３３を透過することができる。
【００２８】
一方、図７に、第１光制御シート２５の第１領域Ｚ１と第２光制御シート３５の第４領域Ｚ４とが重なり、第１光制御シート２５の第２領域Ｚ２と第２光制御シート３５の第３領域Ｚ３とが重なった状態を示す。図７に示す場合、第１偏光板２３を透過した一方の偏光成分の光は、第１光制御シート２５及び第２光制御シート３５の両方を透過した後に、第１光制御シート２５及び第２光制御シート３５を透過する前の振動方向を維持する。したがって、図７に示すように、第１光制御シート２５及び第２光制御シート３５の両方を透過した光は、一方の偏光成分の光のままであり、第２偏光板３３で吸収され、第２偏光板３３を透過することはできない。
【００２９】
このような光学作用を及ぼす第１光制御シート２５及び第２光制御シート３５は、例えば位相差フィルム２５０からなる。この位相差フィルム２５０の層構成について図８を参照して説明する。図８は、位相差フィルム２５０の層構成の一例を示す断面図である。位相差フィルム２５０は、トリアセチルセルロース等の低リタデーション透光性基材としての基材２５１と、基材２５１上に形成されたパターン配向膜２５２と、パターン配向膜２５２上に形成されたパターン位相差層２５３と、を有する。パターン配向膜２５２及びパターン位相差層２５３は、第１領域Ｚ１及び第２領域Ｚ２に対応した二つの領域２５２ａ、２５２ｂ、２５３ａ、２５３ｂ、あるいは、第３領域Ｚ３及び第４領域Ｚ４に対応した二つの領域２５２ａ、２５２ｂ、２５３ａ、２５３ｂにそれぞれ区分けされる。
【００３０】
パターン配向膜２５２は、二つの領域２５２ａ、２５２ｂ間で、異なる方向に配向規制力を発揮する。パターン位相差層２５３は、パターン配向膜２５２の配向規制力により配向される棒状化合物を含んでいる。パターン配向膜２５２が、２つの領域２５２ａ、２５２ｂ間で互いに異なる方向に配向規制力を発現するため、パターン位相差層２５３の２つの領域２５３ａ、２５３ｂに含有される棒状化合物は、互いに異なる方向に配向される。パターン位相差層２５３の各領域２５３ａ、２５３ｂは、分子の配向方向に対応した方向に、例えば分子が配向した方向に直交する方向に、遅相軸を持つようになる。本実施の形態では、パターン位相差層２５３の一方の領域２５３ａでの遅相軸の方向と、パターン位相差層２５３の他方の領域２５３ｂでの遅相軸の方向とが、互いに交差、とりわけ直交するようになる。
【００３１】
このような位相差フィルム２５０は、例えば国際公開第２０１３−０５４６７３号パンフレット、特開２０１２−１３７７２５号公報、または特開２０１２−１９８５２２号公報等に開示された製法を用いて作製され得るため、ここではこれ以上詳細な説明を省略する。
【００３２】
なお、位相差フィルム２５０は、パターン位相差層２５３に上記棒状化合物が含有されることにより、位相差性を発現するものである。この場合、位相差フィルム２５０の位相変調量は、棒状化合物の種類およびパターン位相差層２５３の厚みによって調整することが可能である。棒状化合物として、例えば液晶性を示す液晶性材料が挙げられる。
【００３３】
さて、各光制御板２０、３０に含まれる接合層２２，２４，３２，３４は、隣り合う二つの層を接合するための層であり、十分な接合強度が得られれば特に限定されない。例えば、粘着剤を用いた粘着層や、接着剤を用いた接着層を、接合層２２，２４，３２，３４として用いることができる。また、一以上の接合層２２，２４，３２，３４に、赤外線遮蔽機能、帯電防止機能等の種々の機能を付与してもよい。
【００３４】
また、第１オーバーコート層２６及び第２オーバーコート層３６は、それぞれ、第１光制御シート２５又は第２光制御シート３５を保護するための層であり、例えば透明樹脂層として形成され得る。また、第１オーバーコート層２６及び第２オーバーコート層３６の少なくとも一方に種々の機能を付与してもよい。例えば、耐擦傷性を付与する観点から、オーバーコート層２６，３６を、隣接する光制御シート２５，３５の基材２５１，３５１よりも高硬度のハードコート層とすることができる。また他の例として、オーバーコート層２６，３６に、防眩機能、反射防止機能、赤外線遮蔽機能、帯電防止機能等を付与してもよい。
【００３５】
次に、第２光制御主板３０から延び出したガイド壁３８について説明する。図１及び図２によく示されているように、一対のガイド壁３８が、第２光制御主板３０の他軸方向Ｄ２における端部から、第２光制御主板３０の板面への法線方向ｎｄ２に向かって突出している。一対のガイド壁３８は、他軸方向Ｄ２に対向している。なお、本明細書において、「板面（フィルム面、シート面）」とは、対象となる板状の部材を全体的かつ大局的に見た場合において対象となる板状部材の平面方向と一致する面のことを指す。
【００３６】
各ガイド壁３８は、第１光制御主板２０の板面に平行な方向から、つまり第１光制御主板２０の外側から当該第１光制御主板２０に対面している。図１及び図２に示す例では、一対のガイド壁３８の間に第１板状部材２が位置している。このようなガイド壁３８によれば、第１板状部材２と第２板状部材３とを互いに対して相対移動させたときに、ガイド壁３８が、第１板状部材２の移動範囲を規制して、２つの板状部材２、３の相対移動を案内することができる。
【００３７】
とりわけ、本実施の形態では、一対の対向壁２８が、第１光制御主板２０の他軸方向Ｄ２における端部から、第１光制御主板２０の板面への法線方向ｎｄ１に向かって突出している。一対の対向壁２８は、他軸方向Ｄ２に対向している。各対向壁２８は、対応する側に位置する対向壁２８に近接して他軸方向Ｄ２に対面している。図１及び図２に示す例では、一対のガイド壁３８の間に、一対の対向壁２８が位置している。このような対向壁２８によれば、２つの板状部材２、３を互いに対して相対移動させたときに、ガイド壁３８が対向壁２８を広範な領域で支えることができるため、２つの板状部材２、３の相対移動をより安定して行うことができる。
【００３８】
図９に、対向壁２８及びガイド壁３８の断面図を示す。図９に示すように、対向壁２８及びガイド壁３８の一方に、一軸方向Ｄ１に沿って延びる規制溝２８ａが設けられ、対向壁２８及びガイド壁３８の他方に、規制溝２８ａに収容される規制突起３８ａが設けられている。本実施の形態では、規制溝２８ａは、対向壁２８に設けられ、第１光制御主板２０から法線方向ｎｄ１に沿って離れた位置に位置している。規制突起３８ａは、ガイド壁３８から他軸方向Ｄ２に沿って対向壁２８の規制溝２８ａ内まで延び出している。とりわけ、図９に示す例では、ガイド壁３８に雌ネジ孔３８ｂが設けられており、規制突起３８ａは、雌ネジ孔３８ｂに螺合する全ネジとして構成されている。雌ネジ孔３８ｂに螺合した規制突起３８ａは、雌ネジ孔３８ｂよりも法線方向ｎｄ１における寸法が僅かに大きい対向壁２８の規制溝２８ａに適度な遊びをもって収容される。
【００３９】
しかして、ガイド壁３８に固定された規制突起３８ａが、対向壁２８に一軸方向Ｄ１に沿って設けられた規制溝２８ａに収容されることにより、第１板状部材２と第２板状部材３とが一軸方向Ｄ１に安定して相対移動可能になる。
【００４０】
このような対向壁２８は、第１光制御主板２０と一体に形成されていてもよいし、第１光制御主板２０と接合されていてもよいし、第１光制御主板２０と締結されていてもよい。例えば、対向壁２８が第１光制御主板２０と一体に形成されている場合、対向壁２８を、第１光制御主板２０の第１透明支持板２１をなす樹脂材料を折り曲げて第１透明支持板２１と一体に形成することができる。あるいは、対向壁２８が第１透明支持板２１とは異なる材料にて構成され、対向壁２８が接合材を介して第１透明支持板２１に接合されていてもよいし、対向壁２８が第１透明支持板２１に溶着されていてもよい。
【００４１】
同様に、ガイド壁３８は、第２光制御主板３０と一体に形成されていてもよいし、第２光制御主板３０と接合されていてもよいし、第２光制御主板３０と締結されていてもよい。例えば、ガイド壁３８が第２光制御主板３０と一体に形成されている場合、ガイド壁３８を、第２光制御主板３０の第２透明支持板３１をなす樹脂材料を折り曲げて第２透明支持板３１と一体に形成することができる。あるいは、ガイド壁３８が第２透明支持板３１とは異なる材料にて構成され、ガイド壁３８が接合材を介して第２透明支持板３１に接合されていてもよいし、ガイド壁３８が第２透明支持板３１に溶着されていてもよい。
【００４２】
また、図９に示すように、第１板状部材２と第２板状部材３との間に低摩擦材４が配置されている。つまり、第１板状部材２と第２板状部材３とは、低摩擦材４を介して相対移動可能になっている。図９に示す低摩擦材４は、第１板状部材２または第２板状部材３に接合される接合層４ａと、接合層４ａに積層された摺動層４ｂと、を有している。
【００４３】
接合層４ａは、それ自体既知の粘着剤等からなる。典型的には、接合層４ａとして、第１板状部材２または第２板状部材３に貼り付け可能な粘着剤が用いられる。
【００４４】
摺動層４ｂは、第１板状部材２及び第２板状部材３よりも動摩擦係数の低い材料からなる。すなわち、摺動層４ｂの表面は、第１板状部材２の第２板状部材３側の表面をなす材料及び第２板状部材３の第１板状部材２側の表面をなす材料よりも動摩擦係数の低い材料からなる。図９に示す例では、摺動層４ｂは、第１光制御主板２０の第１オーバーコート層２６及び対向壁２８をなす樹脂材料、並びに、第２光制御主板３０の第２オーバーコート層３６及びガイド壁３８をなす樹脂材料よりも動摩擦係数の低い材料からなる。摺動層４ｂの一例として、フッ素系材料のコーティング剤が挙げられる。
【００４５】
本実施の形態の低摩擦材４は、第１光制御主板２０と第２光制御主板３０との間に配置されている。低摩擦材４は、一軸方向Ｄ１に沿った長手方向をもつ帯状片として構成され、第２光制御主板３０に貼り付けられている。図９に示す例では、低摩擦材４は、フッ素系材料にて表面を覆われた粘着テープにて構成されている。
【００４６】
次に、以上のような構成からなる本実施の形態の作用について、図１及び図１０を参照して説明する。図１０は、図１に示す状態から、第１板状部材２と第２板状部材３とを一軸方向Ｄ１に沿って各領域Ｚ１〜Ｚ４の幅Ｗの半分だけずらした状態を示す平面図である。
【００４７】
図１１に示す状態において、第１光制御シート２５の第１領域Ｚ１が第２光制御シート３５の第３領域Ｚ３に重なり、第１光制御シート２５の第２領域Ｚ２が第２光制御シート３５の第４領域Ｚ４に重なる。この場合、図６から理解されるように、第１光制御主板２０と第２光制御主板３０とが重なる範囲において調光装置１に入射する光は、第１光制御主板２０及び第２光制御主板３０を透過することができる。したがって、第１光制御主板２０と第２光制御主板３０とが重なる範囲において調光装置１は、遮光をほとんど行わず主として採光機能を発現することができる。
【００４８】
図１に示す状態から、第１板状部材２と第２板状部材３とを一軸方向Ｄ１に沿ってＷ／２だけずらして、図１０に示す状態にする。図１０に示す状態では、２つの板状部材２、３の相対位置に応じて、第１光制御シート２５の第１領域Ｚ１と第２光制御シート３５の第３領域Ｚ３及び第４領域Ｚ４との重なる範囲が変化すると共に、第１光制御シート２５の第２領域Ｚ２と第２光制御シート３５の第３領域Ｚ３及び第４領域との重なる範囲が変化する。具体的には、第２光制御主板３０が第１光制御主板２０に対して一軸方向Ｄ１にずれて、第１光制御シート２５の第１領域Ｚ１が第２光制御シート３５の第３領域Ｚ３及び第４領域Ｚ４の両方に重なり、第１光制御シート２５の第４領域Ｚ４が第２光制御シート３５の第３領域Ｚ３及び第４領域Ｚ４の両方に重なる。この場合、図１０から理解されるように、ストライプ状の遮光領域と透過領域とが一軸方向Ｄ１に交互に形成されることになる。
【００４９】
図１２に示す状態から、第１板状部材２と第２板状部材３とを一軸方向Ｄ１に沿ってＷ／２だけずらす（不図示）。この場合、第１光制御シート２５の第１領域Ｚ１が第２光制御シート３５の第４領域Ｚ４に重なり、第１光制御シート２５の第２領域Ｚ２が第２光制御シート３５の第３領域Ｚ３に重なる。図７から理解されるように、第１光制御主板２０と第２光制御主板３０とが重なる範囲において調光装置１に入射する光は、第１光制御主板２０及び第２光制御主板３０を透過することができず遮光される。したがって、第１光制御主板２０と第２光制御主板３０とが重なる範囲において調光装置１は、採光機能をほとんど発揮せず主として遮光機能を発現することができる。
【００５０】
以上のように、本実施の形態によれば、互いに相対移動可能となるように積み重ねられた第１板状部材２及び第２板状部材３を備え、第１板状部材３は、平板状の第１光制御主板２０を有し、第２板状部材３は、第１光制御主板２０と少なくとも部分的に対面する平板状の第２光制御板３０と、第２光制御板３０から延び出し、第１光制御主板２０の板面に平行な方向から第１板状部材２に対面するガイド壁３８と、を有し、第１光制御主板２０及び第２光制御主板３０の両方を透過する光の透過率は、第１光制御主板２０及び第２光制御主板３０の相対位置に応じて変化し、第１板状部材２と第２板状部材３とを互いに対して相対移動させたときに、ガイド壁３８が、第１板状部材２の移動範囲を規制して、第１板状部材２と第２板状部材３との相対移動を案内する。調光装置１が相対移動可能な２つの板状部材２、３にて実現されることにより、構成要素の簡略化及び部品点数の削減を達成して調光装置１の軽量化がもたらされる。さらに、ガイド壁３８が、２つの板状部材２、３の相対移動を案内することに加えて、２つの板状部材２、３の相対移動に耐えうる剛性を第２板状部材３に提供する。このようにして、本実施の形態によれば、軽量化された調光装置１を実用に耐えうる態様で提供することが可能になる。
【００５１】
また、本実施の形態によれば、第１板状部材２は、第１光制御主板２０から延び出し、第２板状部材３のガイド壁３８と対面する対向壁２８を有している。このような対向壁２８によれば、２つの板状部材２、３を互いに対して相対移動させたときに、ガイド壁３８が対向壁２８を広範な領域で支えることができるため、２つの板状部材２、３の相対移動をより安定して行うことができる。さらに、対向壁２８は、２つの板状部材２、３の相対移動に耐えうる剛性を第１板状部材２に提供する。このようにして、軽量化された調光装置１を充分に実用に耐え得る態様で提供することが可能になる。
【００５２】
また、本実施の形態によれば、第１板状部材２及び第２板状部材３の一方に、２つの板状部材２、３の相対移動方向に沿って延びる規制溝２８ａが設けられており、第１板状部材２及び第２板状部材３の他方に、規制溝２８ａに収容される規制突起３８ａが設けられている。このような形態によれば、規制突起３８ａが規制溝２８ａに収容されることにより、２つの板状部材２、３の相対移動をより安定して行うことが可能になる。
【００５３】
また、本実施の形態によれば、第１板状部材２と第２板状部材３とは、低摩擦材を介して相対移動可能になっている。低摩擦材４によれば、第１板状部材２と第２板状部材３との相対移動をスムーズに行うことに寄与する。
【００５４】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５５】
上述した実施の形態では、図１に示すように、第１透明支持板２１と対向壁２８とが一体に形成され、第２透明支持板３１とガイド壁３８とが一体に形成された例を示したが、このような例に限定されない。図１１に、これらの他の構成例を示す。図１１に示す例では、第１板状部材２は、第１光制御主板２０と、第１光制御主板２０に取り付けられたＬ字ブラケット２７と、を有し、第２板状部材３は、第２光制御主板３０と、第２光制御主板３０に取り付けられたＬ字ブラケット３７と、を有している。
【００５６】
図１１に示すように、第１板状部材２のＬ字ブラケット２７は、第１光制御主板２０に取り付けられた取付プレート２９と、取付プレート２９から延び出した対向壁２８と、を含んでいる。取付プレート２９は、第１光制御主板２０上で当該第１光制御主板２０に沿って設置されている。対向壁２８は、取付プレート２９から第１光制御主板２０への法線方向ｎｄ１に向かって延び出している。図１１に示す例では、取付プレート２９及び対向壁２８は、同一の樹脂材料をＬ字状に曲げることにより得られる。
【００５７】
同様に、第２板状部材３のＬ字ブラケット２７は、第２光制御主板３０に取り付けられた取付プレート３９と、取付プレート３９から延び出したガイド壁３８と、を含んでいる。第２光制御主板３０が取付プレート３９上で取付プレート３９に沿って設置されている。そして、ガイド壁３８が第２光制御主板３０の外側を通って、第２光制御主板３０の法線方向ｎｄ２に向かって延び出し、対向壁２８に一軸方向Ｄ１に対面している。図１１に示す例では、取付プレート３９及びガイド壁３８は、同一の樹脂材料をＬ字状に曲げることにより得られる。
【００５８】
とりわけ、図１２に、Ｌ字ブラケット２７を第１光制御主板２０に取り付けた断面を示す。図１２に示すように、第１光制御主板２０及び取付プレート２９に、第１光制御主板２０への法線方向ｎｄに沿って形成された貫通孔２０ａ、２９ａが形成されている。２つの貫通孔２０ａ、２９ａにボルト２ａが挿入されており、ボルト２ａの取付プレート２９から突出した先端に、ナット２ｂが螺合している。他方で、第２光制御主板３０に一軸方向Ｄ１に沿って溝３０ａが形成され、ボルト２ａの頭部はこの溝３０ａ内に収容されている。このような形態によれば、第２板状部材３に一軸方向Ｄ１に沿って設けられた溝３０ａが規制溝として機能し、第１板状部材２に設けられたボルト２ａが、規制溝３０ａに収容される規制突起として機能する。このため、規制突起としてのボルト２ａが規制溝としての溝３０ａに収容されることにより、２つの板状部材２、３の相対移動をより安定して行うことが可能になる。
【００５９】
また、上述した実施の形態では、第１板状部材２と第２板状部材３とが一軸方向Ｄ１に沿って相対移動可能な例を示したが、このような例に限定されない。図１３及び図１４に、第１板状部材２と第２板状部材３との他の相対移動例を、斜視図及び断面図としてそれぞれ示す。図１３及び図１４に示す例では、第１板状部材２と第２板状部材３とは、回転軸Ｒの周りで相対回転可能になっている。第１板状部材２は、円盤状の第１光制御主板２０と、第１光制御主板２０の周縁から延び出した対向壁２８と、を有している。第２板状部材３は、円盤状の第２光制御主板３０と、第２光制御主板３０の周縁から延び出したガイド壁３８と、を有している。ガイド壁３８は、対向壁２８の周囲を取り囲み、第１光制御主板２０の板面に平行な方向から対向壁２８に対面している。なお、図１３及び図１４に示す第１光制御主板２０及び第２光制御主板３０の構成は、上述した形態と略同様に構成することができる。
【００６０】
図１３及び図１４に示す形態によっても、互いに相対移動可能となるように積み重ねられた第１板状部材２及び第２板状部材３を備え、第１板状部材３は、平板状の第１光制御主板２０を有し、第２板状部材３は、第１光制御主板２０と少なくとも部分的に対面する平板状の第２光制御板３０と、第２光制御板３０から延び出し、第１光制御主板２０の板面に平行な方向から第１板状部材２に対面するガイド壁３８と、を有し、第１光制御主板２０及び第２光制御主板３０の両方を透過する光の透過率は、第１光制御主板２０及び第２光制御主板３０の相対位置に応じて変化し、第１板状部材２と第２板状部材３とを互いに対して相対移動させたときに、ガイド壁３８が、第１板状部材２の移動範囲を規制して、第１板状部材２と第２板状部材３との相対移動を案内する。調光装置１が相対移動可能な２つの板状部材２、３にて実現されることにより、構成要素の簡略化及び部品点数の削減を達成して調光装置１の軽量化がもたらされる。さらに、ガイド壁３８が、２つの板状部材２、３の相対移動を案内することに加えて、２つの板状部材２、３の相対移動に耐えうる剛性を第２板状部材３に提供する。このようにして、軽量化された調光装置１を実用に耐えうる態様で提供することが可能になる。
【００６１】
また、図１３及び図１４に示す形態によれば、第１板状部材２は、第１光制御主板２０から延び出し、第２板状部材３のガイド壁３８と対面する対向壁２８を有している。このような対向壁２８によれば、２つの板状部材２、３を互いに対して相対移動させたときに、ガイド壁３８が対向壁２８を広範な領域で支えることができるため、２つの板状部材２、３の相対移動をより安定して行うことができる。さらに、対向壁２８は、２つの板状部材２、３の相対移動に耐えうる剛性を第１板状部材２に提供する。このようにして、軽量化された調光装置１を充分に実用に耐え得る態様で提供することが可能になる。
【００６２】
さらに、上述した実施の形態において、第１偏光板２３及び第２偏光板３３が、クロスニコルの状態で配置される例を示したが、これに限られず、第１偏光板２３及び第２偏光板３３が、パラレルニコルの状態で配置されていてもよい。この例では、第１光制御シート２５の第１領域Ｚ1と第２光制御シート３５の第４領域Ｚ４とが対面し、第１光制御シート２５の第２領域Ｚ２と第２光制御シート３５の第３領域Ｚ３とが対面した図７の状態にて、光制御装置１が採光状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した図６の状態で、光制御装置１が遮光状態となる。
【００６３】
さらに、上述した実施の形態において、各調光制御パネル２０，３０が、透過光の偏光状態を制御する光制御シート２５，３５としてパターン位相差フィルムを含み、さらに別途に偏光板２３，３３を含む例を示した。しかしながら、この例に限られず、第１光制御シート２５の第１領域Ｚ1及び第２領域Ｚ２が、共に、偏光板からなり、ただし、当該偏光板は、第１領域Ｚ1及び第２領域Ｚ２において、吸収軸が互いに直交するようにして配置されているようにしてもよい。この例では、第２光制御シート３５の第３領域Ｚ３及び第４領域Ｚ４が、共に、偏光板からなり、ただし、当該偏光板が、第３領域Ｚ３及び第４領域Ｚ４において、吸収軸が互いに直交するようにして配置する。そして、第１光制御シート２５の第１領域Ｚ１での吸収軸と、第２光制御シート３５の第３領域Ｚ３での吸収軸とを平行とする。また、第１光制御シート２５の第２領域Ｚ２での吸収軸と、第２光制御シート３５の第４領域Ｚ４での吸収軸とを平行とする。この変形例では、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面した状態で、光制御装置１は採光状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した状態で、光制御装置１が遮光状態となる。そしてこの例では、上述した第１偏光板２３及び第２偏光板３３は不要とすることができ、光制御装置１の単純化を図ることができる。
【００６４】
なお、以上において上述した実施の形態に対するいくつかの変形例を説明してきたが、当然に、複数の変形例を適宜組み合わせて適用することも可能である。
【符号の説明】
【００６５】
１    調光装置
２    第１板状部材
２ａ  ボルト（規制突起）
３    第２板状部材
４    低摩擦材
２０  第１光制御板
２１  第１透明支持板
２３  第１偏光板
２５  第１光制御シート
２８  対向壁
２８ａ  規制溝
３０  第２光制御板
３１  第２透明支持板
３３  第２偏光板
３５  第２光制御シート
３８  ガイド壁
３８ａ  規制突起
Ｚ１〜４  第１〜４領域
Ｄ１  一軸方向
Ｄ２  他軸方向
【図１】
2016051120.tif 000003
【図２】
2016051120.tif 000004
【図３】
2016051120.tif 000005
【図４】
2016051120.tif 000006
【図５】
2016051120.tif 000007
【図６】
2016051120.tif 000008
【図７】
2016051120.tif 000009
【図８】
2016051120.tif 000010
【図９】
2016051120.tif 000011
【図１０】
2016051120.tif 000012
【図１１】
2016051120.tif 000013
【図１２】
2016051120.tif 000014
【図１３】
2016051120.tif 000015
【図１４】
2016051120.tif 000016